(57)【要約】  【課題】  洗浄水の噴射により食器等の洗浄を行う食器洗い機において、扉体で密閉された光の量の少ない洗浄槽内に扉体以外の所から光を透過させることで洗浄槽内部を明るくし、電燈などの光源を別に必要とせず、洗浄槽内部の光が透明性を有する窓部を透過する光の量を増やし、外部からの光を透明性を有する窓が反射する光の量に近づけ、扉体を閉めた状態でも洗浄槽内部の視認性を向上する。  【解決手段】  食器洗い機本体１２内に洗浄槽１１を設け、この洗浄槽１１の前方に設けた開口部１６を上扉体１７と下扉体１８により開閉する。上扉体１７と下扉体１８の内、上扉体１７に表面透明窓２７と裏面透明窓２８を設けるとともに、食器洗い機本体１２および洗浄槽１１の上面部の一部に透光部２１を設ける。【選択図】  図１
2005046300.tif 000002
【特許請求の範囲】
【請求項１】
食器洗い機本体と、前記食器洗い機本体内に設けた洗浄槽と、前記洗浄槽の前方に設けた開口部を開閉する複数個の扉体とを備え、前記複数個の扉体の少なくとも１個に透明性を有する窓部を設けるとともに、前記食器洗い機本体および洗浄槽の上面部の一部に透光部を設けた食器洗い機。
【請求項２】
透光部は、食器洗い機本体の上面に上面開口部を設けるとともに、洗浄槽の上面を透光性を有する材料で構成した請求項１記載の食器洗い機。
【請求項３】
透光部は、食器洗い機本体の上面に上面開口部を設けるとともに、洗浄槽の上面に前記上面開口部に対応する位置に透光部材を設ける構成とした請求項１記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図３に示すように構成していた。以下、その構成について説明する。
【０００３】
図３に示すように、食器洗い機本体１は、内部に食器類２を収容する洗浄槽３を設け、この洗浄槽３は前面に開口部４を有し、この開口部４を扉体５により開閉するとともに、洗浄槽３の底部に洗浄水を噴射する洗浄ノズル６を回転自在に配設している（例えば、特許文献１参照）。
【０００４】
食器洗い機の基本的な動作は、一般的によく知られているので、以下に簡単に述べると、使用者が扉体５を開放し、食器洗い機本体１内の洗浄槽３に配置された食器かごに汚れた食器類２をセットする。
【０００５】
つぎに、扉体５を閉め、運転を開始すると、洗浄槽３の底部に配置されたヒータ（図示せず）によって洗浄水を加熱しながら、洗浄ノズル６から食器類２に向かって洗浄水を噴射し、食器類２の汚れを落とす洗浄行程を行う。その後、食器類２をすすいだ後、乾かす乾燥行程を行って、運転を終了する。
【特許文献１】特開２０００−２９６０８７号公報（第３頁、図１）
【発明の開示】
【発明が解決しようとする課題】
【０００６】
このような従来の構成では、扉体５を閉めた状態では洗浄槽３内部の状態がわかからなく、運転行程が洗浄であるか、すすぎであるかの区別を何らかで表示しなければわかからない。また、洗浄中の食器類２の汚れが採れているのかを確認するのは、運転途中で一時停止し、扉対５を開いて確認する必要があるため、非常に煩わしいという問題を有していた。
【０００７】
また、洗浄槽３内部の状態を確認できるようにするために、扉体５に透明窓を設けた場合、扉体５を閉めた密閉状態では洗浄槽３の内部は透明窓を透過しただけの光しかないため、光の量が少なく暗い。よって、洗浄槽３内部を外部から透視できる光が透明窓を透過する量に対し、外部からの光を透明窓が反射する光の量の方が大きく、明るい部屋から暗い部屋が見えにくいのと同様に、暗い洗浄槽３内の視認性が悪いという問題を有していた。
【０００８】
本発明は上記従来の課題を解決するもので、扉体で密閉された光の量の少ない洗浄槽内に扉体以外の所から光を透過させることで洗浄槽内部を明るくし、電燈などの光源を別に必要とせず、洗浄槽内部の光が透明性を有する窓部を透過する光の量を増やし、外部からの光を透明性を有する窓が反射する光の量に近づけ、扉体を閉めた状態でも洗浄槽内部の視認性を向上することを目的としている。
【課題を解決するための手段】
【０００９】
本発明は上記目的を達成するために、食器洗い機本体内に洗浄槽を設け、この洗浄槽の前方に設けた開口部を複数個の扉体により開閉するよう構成し、複数個の扉体の少なくとも１個に透明性を有する窓部を設けるとともに、食器洗い機本体および洗浄槽の上面部の一部に透光部を設けたものである。
【００１０】
これにより、扉体で密閉された光の量の少ない洗浄槽内に扉体以外の所から光を透過させることで洗浄槽内部を明るくすることができ、電燈などの光源を別に必要とせず、洗浄槽内部の光が透明性を有する窓部を透過する光の量を増やし、外部からの光を透明性を有する窓が反射する光の量に近づけ、扉体を閉めた状態でも洗浄槽内部の視認性を向上することができる。
【発明の効果】
【００１１】
以上のように本発明の請求項１に記載の発明によれば、食器洗い機本体内に洗浄槽を設け、この洗浄槽の前方に設けた開口部を複数個の扉体により開閉するよう構成し、複数個の扉体の少なくとも１個に透明性を有する窓部を設けるとともに、食器洗い機本体および洗浄槽の上面部の一部に透光部を設けたから、扉体で密閉された光の量の少ない洗浄槽内に扉体以外の所から光を透過させることで洗浄槽内部を明るくすることができ、電燈などの光源を別に必要とせず、洗浄槽内部の光が透明性を有する窓部を透過する光の量を増やし、外部からの光を透明性を有する窓が反射する光の量に近づけ、扉体を閉めた状態でも洗浄槽内部の視認性を向上することができる。
【発明を実施するための最良の形態】
【００１２】
本発明の請求項１に記載の発明は、食器洗い機本体と、前記食器洗い機本体内に設けた洗浄槽と、前記洗浄槽の前方に設けた開口部を開閉する複数個の扉体とを備え、前記複数個の扉体の少なくとも１個に透明性を有する窓部を設けるとともに、前記食器洗い機本体および洗浄槽の上面部の一部に透光部を設けたものであり、扉体で密閉された光の量の少ない洗浄槽内に扉体以外の所から光を透過させることで洗浄槽内部を明るくすることができ、電燈などの光源を別に必要とせず、洗浄槽内部の光が透明性を有する窓部を透過する光の量を増やし、外部からの光を透明性を有する窓が反射する光の量に近づけ、扉体を閉めた状態でも洗浄槽内部の視認性を向上することができる。
【００１３】
請求項２に記載の発明は、上記請求項１に記載の発明において、透光部は、食器洗い機本体の上面に上面開口部を設けるとともに、洗浄槽の上面を透光性を有する材料で構成したものであり、安価にまた、容易に透光部を構成することができる。
【００１４】
請求項３に記載の発明は、上記請求項１に記載の発明において、透光部は、食器洗い機本体の上面に上面開口部を設けるとともに、洗浄槽の上面に前記上面開口部に対応する位置に透光部材を設ける構成としたものであり、洗浄槽の上部の材料がステンレス製の場合でも、容易に透光部を構成することができる。
【実施例１】
【００１５】
以下、本発明の実施例について、図面を参照しながら説明する。
【００１６】
（実施例１）
図１に示すように、洗浄槽１１は、食器洗い機本体１２の内部に設け、側面を構成するステンレス鋼板などの金属製の洗浄槽部材１３と、洗浄槽部材１３の上部を構成する樹脂製の上面構成部材１４と、底部を構成する樹脂製の底部構成部材１５とで構成している。
【００１７】
この洗浄槽１１の前方の開口部１６を上扉体（扉体）１７と下扉体（扉体）１８により開閉するよう構成している。樹脂製の上面構成部材１４は、光の透過性のある材料（例えば、無色のポリプロピレン）で構成し、一部を食器洗い機本体１４の上面に設けた上面開口部１９と略同じ大きさにし、かつ高さを合わせた上面窓部２０を設け、透光部２１を構成している。また、樹脂製の底部構成部材１５には、洗浄水を噴射する洗浄ノズル２２を回転自在に配設し、洗浄槽１１内に食器類２３を収容する食器かご２４を配置している。
【００１８】
また、上扉体１７は表面扉体２５と裏面扉体２６とで構成し、それぞれに表面透明窓（透光性を有する窓部）２７、裏面透明窓（透光性を有する窓部）２８を設けている。
【００１９】
上記構成において作用を説明すると、食器洗い機本体１２に設けた上面開口部１９から透過性のある樹脂製の上面窓部２０を通して光が透過する。これによって、上扉体１７と下扉体１８を閉めた状態で、洗浄槽１１内部の明るさと外部の明るさとの差が少なくなり、外部から洗浄槽１１内部を透視できる光と、表面透明窓２７と裏面透明窓２８とに反射される光の量の差が少なくなるため、電燈などの光源を別に必要とせずに、洗浄槽１１内部の視認性を向上することができる。
【００２０】
このように本実施例によれば、食器洗い機本体１２内に洗浄槽１１を設け、この洗浄槽１１の前方に設けた開口部１６を上扉体１７と下扉体１８により開閉するようにし、上扉体１７を表面扉体２５と裏面扉体２６とで構成し、それぞれに表面透明窓２７、裏面透明窓２８を設けるとともに、食器洗い機本体１２および洗浄槽１１の上面部の一部に透光部２１を設けたので、上扉体１７と下扉体１８で密閉された光の量の少ない洗浄槽１１内に上扉体１７以外の所から光を透過させることで洗浄槽１１内部を明るくすることができ、電燈などの光源を別に必要とせず、洗浄槽１１内部の光が表面透明窓２７、裏面透明窓２８を透過する光の量を増やすことができ、外部からの光を表面透明窓２７、裏面透明窓２８が反射する光の量に近づけ、上扉体１７と下扉体１８を閉めた状態でも洗浄槽１１内部の視認性を向上することができる。
【００２１】
また、透光部２１は、食器洗い機本体１２の上面に上面開口部１９を設けるとともに、洗浄槽１１の上面を透光性を有する材料で構成したので、安価にまた、容易に透光部２１を構成することができる。
【００２２】
また、洗浄槽１１内部を見えないようにしたい場合は、透光部２１に光を透過させないもので覆えばよい。
【００２３】
なお、裏面扉体２６は水密性が必要であるため、裏面透明窓２８を溶着等で、一体的に形成する場合が多いが、裏面扉体２６を透過性のある材料で構成すれば、裏面透明窓２８の必要はない。
【００２４】
（実施例２）
図２に示すように、洗浄槽２９は、食器洗い機本体３０の内部に設け、上面と側面をステンレス鋼で一体的に構成した上部構成部材３１と底部を構成する樹脂製の底部構成部材３２とで構成している。上部構成部材３１の上面には、食器洗い機本体３０に設けた上面開口部３３に合わせた透過性のある樹脂からなる透光部材３４を設け、透光部３５を構成している。他の構成は上記実施例１と同じであり、同一符号を付して説明を省略する。
【００２５】
上記構成において作用を説明すると、食器洗い機本体３０に設けた上面開口部３３から透過性のある樹脂からなる透光部材３４を通して光が透過する。これによって、上扉体１７と下扉体１８を閉めた状態で、洗浄槽２９内部の明るさと外部の明るさとの差が少なくなり、外部から洗浄槽２９内部を透視できる光と、表面透明窓２７と裏面透明窓２８とに反射される光の量の差が少なくなるため、電燈などの光源を別に必要とせずに、洗浄槽２９内部の視認性を向上することができる。
【００２６】
このように本実施例によれば、透光部３５は、食器洗い機本体３０の上面に上面開口部３５を設けるとともに、洗浄槽２９の上面に上面開口部３５に対応する位置に透光部材３４を設ける構成としたので、洗浄槽２９の上部の材料がステンレス鋼の場合でも、洗浄槽２９の内部に外部からの光を透過させる透光部３５を容易に構成することができる。
【図面の簡単な説明】
【００２７】
【図１】本発明の第１の実施例の食器洗い機の縦断面図
【図２】本発明の第２の実施例の食器洗い機の縦断面図
【図３】従来の食器洗い機の縦断面図
【符号の説明】
【００２８】
１１  洗浄槽
１２  食器洗い機本体
１６  開口部
１７  上扉体（扉体）
１８  下扉体（扉体）
２１  透光部
２７  表面透明窓（透明性を有する窓部）
２８  裏面透明窓（透明性を有する窓部）
【図１】
2005046300.tif 000003
【図２】
2005046300.tif 000004
【図３】
2005046300.tif 000005